(57)【特許請求の範囲】
【請求項１】
育苗トレイのポット位置に合わせた種子播種用開口部を有する下播種板と、該下播種板上に所定間隙を設けて摺動自在に配置され、かつ、種子を一粒収納する貯留孔を種子播種用開口部に対応して摺動方向に複数設けた上播種板からなるスライド式播種器であって、上播種板を摺動して種子播種用開口部と前記貯留孔を一致させて播種するように構成するとともに、上播種板と下播種板の間に摺動の際のディテントを配置し、上播種板の一端部には仕切り板を回動自在に枢結して戻しバネでひらかないように付勢した種子投入部を構成したことを特徴とするスライド式播種器。
【発明の詳細な説明】
【０００１】
【産業上の利用分野】
本発明は、野菜等の種子を手動で操作して播く、スライド式播種器の構成に関する。
【０００２】
【従来の技術】
従来から、育苗トレイの各ポットに一粒または数粒ずつ機械的に播種する装置は多数公知となっている。また、手動式で簡単な播種器具としてのスライド式播種器に関する技術も公知とされている。例えば、実開平７ー１７００９号公報に記載の技術の如くである。
【０００３】
【発明が解決しようとする課題】
しかし、従来のような、機械的な播種装置は、大量の播種作業をする大規模農家や施設には良いが、一般家庭で花卉や野菜等の種子を少量播種する作業には、コスト高となり、装置の設置場所、保管場所等を考えても不適切である。また、手動式のスライド式播種器も、従来のものは、育苗トレイの大きさに合わせた大きさとして、一度に播種するものであり、寸法が大きく、該スライド式播種器を傾けて、種子を播種板の目皿である貯留孔に充填する作業に手間がかかり、取扱いも困難であるという不具合があった。
【０００４】
【課題を解決するための手段】
本発明の解決しようとする課題は以上の如くであり、次にこの課題を解決するための手段を説明する。即ち、育苗トレイのポット位置に合わせた種子播種用開口部を有する下播種板と、該下播種板上に所定間隙を設けて摺動自在に配置され、かつ、種子を一粒収納する貯留孔を種子播種用開口部に対応して摺動方向に複数設けた上播種板からなるスライド式播種器であって、上播種板を摺動して種子播種用開口部と前記貯留孔を一致させて播種するように構成するとともに、上播種板と下播種板の間に摺動の際のディテントを配置し、上播種板の一端部には仕切り板を回動自在に枢結して戻しバネでひらかないように付勢した種子投入部を構成した。
【０００５】
【作用】
次に、作用を説明すると、請求項１の如き構成により、実際の播種作業では、種子投入部Ｔ内に、種子Ｓ・Ｓ・・・を入れ、上播種板２を下播種板１に対して最も左側に寄せて、播種孔１ａ・１ａ・・・と貯留孔２ａ・２ａ・・・及び貯留孔２ｂ・２ｂ・・・が連通しない状態で、該仕切板３を戻しバネ４の付勢力に抗して下方に回動しながら、スライド式播種器Ａを傾けて、該種子Ｓ・Ｓ・・・を、該貯留孔２ａ・２ａ・・・及び貯留孔２ｂ・２ｂ・・・に移動させて、１粒ずつ充填してゆき、前記貯留孔２ａ・２ａ・・・及び貯留孔２ｂ・２ｂ・・・への種子Ｓ・Ｓ・・・の充填後、充填しきれない余分な種子を、前記種子投入部Ｔに再度収納する。
次に、スライド式播種器ＡをポットシートＰ上に載置し、前記位置ガイド１ｂ・１ｂ・１ｂ・１ｂを該ポットシートＰ内のポットＰａ・Ｐａ・・・内に挿入して、前記播種孔１ａ・１ａ・・・の中心が該ポットＰａ・Ｐａ・・・の中心と略一致するように位置決めを行う。そして、上播種板２を右側に摺動すると、スライド式播種器Ａ上の種子Ｓ・Ｓ・・・は、前記補助板３２によって、下方を該上播種板２にカミ込まれず、従って、種子割れを起こさずに、貯留孔２ｂ・２ｂ・・・が下播種板１の播種孔１ａ・１ａ・・・と連通して、該種子Ｓ・Ｓ・・・の半分だけが下方のポットシートＰに落下する。このとき、前記ディテントバネ５の開口部５ｂ内にリベット１０の頭部が脱着可能に嵌入して、この状態にて一時固定される。
【０００６】
【実施例】
次に、実施例を説明する。図１は、本発明のスライド式播種器の正面図一部断面図、図２は、同じく、平面図、図３は、同じく、側面図一部断面図、図４は、図２に示す、Ｃ部の拡大図、図５は、図１に示す、Ｂ部の拡大図、図６は、二つの貯留孔の一方が播種孔と連通した状態を示す図、図７は、同じく、斜視図、図８は、二つの貯留孔の他方が播種孔と連通した状態を示す図、図９は、育苗トレイ上に、スライド式播種器を装着した状態を示す平面図、図１０は、同じく、斜視図、図１１は、他の実施例の正面図一部断面図、図１２は、同じく、平面図、図１３は、同じく、側面図一部断面図、図１４は、種子供給手段の他の実施例の側面断面図、図１５は、図１１に示す、Ｄ部の拡大図である。
【０００７】
本発明のスライド式播種器について、図１〜図１０を用いて説明する。図１に示すように、本発明のスライド式播種器Ａは、下播種板１と上播種板２が摺動可能に連結してなるものであり、本実施例では、図１〜図３に示す如く、碁盤の目状に複数のポットＰａ・Ｐａ・・・を有する育苗トレイ（以下、ポットシートと称す）Ｐ上に、該スライド式播種器Ａが載置されている。該スライド式播種器Ａの下播種板１には、コーティングされた種子Ｓ・Ｓ・・・が容易に通過できるような直径を有する、図１、図２、図５の如き、播種孔１ａ・１ａ・・・が、下方のポットシートＰのポットＰａ・Ｐａ・・・の中心と等間隔に開設されている。
【０００８】
前記下播種板１の前後左右には、図１の如く、凸状の位置ガイド１ｂ・１ｂ・１ｂ・１ｂが形設されており、該位置ガイド１ｂ・１ｂ・１ｂ・１ｂを前記ポットＰａ・Ｐａ・・・内に挿入して、該ポットＰａの前後左右及び中央のいずれの位置に播種するかを位置決めするよう構成している。また、該下播種板１の側方には、正面視、略Ｌ字型の把手９がリベット１９によってカシメて固定され、持ち易いようにしている。
【０００９】
次に、前記上播種板２は、下播種板１を上下逆にしたような形状であり、上方が開放されている。該上播種板２の上面には、図１、図５に示すように、肉厚の厚い、補助板３２が載置され、該上播種板２及び補助板３２と下播種板１との間には、スペーサ７・７を挟んで、リベット６、プッシュナット（カシメナット）８を介して、図２の如く、全体で５か所、カシメて固定されている。また、図２に示すように、該上播種板２及び補助板３２には、前記播種孔１ａ・１ａ・・・より平面視において左側にズレた位置に（スライド方向に中心を一致させて）、前記種子Ｓ・Ｓ・・・が一個だけ入るような直径を有する、二つの貯留孔２ａ・２ａ・・・及び貯留孔２ｂ・２ｂ・・・が開設されている。
【００１０】
そして、図５に示される、前記上播種板２と下播種板１との間隙Ｋは、スペーサ７・７・・・によって一定間隔を保持し、前記種子Ｓ・Ｓ・・・が該間隙Ｋに落込まないように構成されている。また、該上播種板２のリベット６による係止部の下播種板１側は、図４、図５の如く、長孔１ｂ・１ｂ・・・に構成されて、前記スペーサ７を挟んで、該上播種板２と下播種板１が該長孔１ｂの範囲で、摺動可能に係止されている。なお、該スペーサ７は、ジュラコン等の摩擦係数の小さい樹脂を使用して、摺動をスムーズに行えるようにしている。
【００１１】
また、前記上播種板２の一端部には、図１、図２に示すように、両端部３ａ・３ａを直角に屈曲され、上部３ｂを屈曲されて、断面視、略「く」字型に形成された仕切板３が、該両端部３ａ・３ａを枢結ピン２３・２３を介して、回動自在に枢結され、また、該仕切板３の中央部には、係止ピン２２・２２を介して、断面視、略「コ」字型の戻しバネ４が係止されて、該仕切板３が回動して、開かないように付勢している。そして、該仕切板３と上播種板２とにより、種子投入部Ｔが構成され、該種子投入部Ｔ内に種子Ｓ・Ｓ・・・を投入するよう構成している。
【００１２】
また、上播種板２と下播種板１の、後述する、摺動の際のディテントとして、図１、図３の如く、ディテントバネ５を、該上播種板２にリベット２０・２０でカシメて連結し、下播種板１には、リベット１０がカシメられて、該ディテントバネ５の下方に配設された、開口部５ａ・５ｂ・５ｃのいずれにもリベット１０の頭部が脱着可能に嵌入できるように構成されている。なお、開口部５ａ・５ｂ・５ｃは、該ディテントバネ５の撓みによる位置ズレを許容するため、その形状を長孔状としている。
【００１３】
本実施例のスライド式播種器Ａは、図９、図１０に示されるように、ポットシートＰの半分の大きさとしており、１回目の播種が終われば、矢印Ｙの如く位置を変えて２回播種するよう構成している。このように、播種器の面積をできる限り小さくして、取扱易くしている。なお、本実施例では、該スライド式播種器ＡをポットシートＰの半分の大きさとしているが、４分の１や６分の１の大きさでもよく、大きさは特に限定するものではない。また、上播種板２と下播種板１との固定もリベットに限定するものではなく、ピンやボルト等を用いてもよく、また、貯留孔も二つに限定するものではなく、三つ以上構成することもできる。
【００１４】
そして、実際の播種作業では、前記種子投入部Ｔ内に、種子Ｓ・Ｓ・・・を入れ、図２に示す如く、上播種板２を下播種板１に対して最も左側に寄せて、播種孔１ａ・１ａ・・・と貯留孔２ａ・２ａ・・・及び貯留孔２ｂ・２ｂ・・・が連通しない状態で、該仕切板３を戻しバネ４の付勢力に抗して下方に回動しながら、スライド式播種器Ａを傾けて、該種子Ｓ・Ｓ・・・を、該貯留孔２ａ・２ａ・・・及び貯留孔２ｂ・２ｂ・・・に移動させて、１粒ずつ充填してゆき、前記貯留孔２ａ・２ａ・・・及び貯留孔２ｂ・２ｂ・・・への種子Ｓ・Ｓ・・・の充填後、充填しきれない余分な種子を、前記種子投入部Ｔに再度収納するよう構成している。
【００１５】
次に、図１に示すように、スライド式播種器ＡをポットシートＰ上に載置し、前記位置ガイド１ｂ・１ｂ・１ｂ・１ｂを該ポットシートＰ内のポットＰａ・Ｐａ・・・内に挿入して、前記播種孔１ａ・１ａ・・・の中心が該ポットＰａ・Ｐａ・・・の中心と略一致するように位置決めを行う。そして、図２の状態から、上播種板２を右側に摺動すると、スライド式播種器Ａ上の種子Ｓ・Ｓ・・・は、前記補助板３２によって、下方を該上播種板２にカミ込まれず、従って、種子割れを起こさずに、図６、図７に示すように貯留孔２ｂ・２ｂ・・・が下播種板１の播種孔１ａ・１ａ・・・と連通して、該種子Ｓ・Ｓ・・・の半分だけが下方のポットシートＰに落下する。このとき、前記ディテントバネ５の開口部５ｂ内にリベット１０の頭部が脱着可能に嵌入して、この状態にて一時固定される。
【００１６】
次に、前記一時固定状態で、スライド式播種器Ａを図９、図１０の如く、ポットシートＰの未播種の残り半分側に移動し、前記上播種器２を、図６の状態から、前記ディテントバネ５の付勢力に抗して、更に右側に摺動すると、図８の如く、貯留孔２ａ・２ａ・・・が下播種器１の播種孔１ａ・１ａ・・・と連通して、前記種子Ｓ・Ｓ・・・の残り半分が、下方のポットシートＰに落下し、播種完了するよう構成している。
【００１７】
また、図１１〜図１４に他の実施例を示す。この実施例の、スライド式播種器Ａ’も一枚のポットシートＰに一度に播種するのではなく、二度に分けて播種するよう、該スライド式播種器Ａ’をポットシートＰの半分の大きさとして、軽量化、小型化を図り、作業効率を高めるよう構成している。
【００１８】
この実施例でも、図１１、図１５に示すように、上播種板１２の上面に補助板４２が載置され、該上播種板１２及び補助板４２と下播種板１１との間には、前記スライド式播種器Ａと同様に、スペーサ１７・１７を挟んで、リベット１６、プッシュナット１８を介して、全体で５か所、カシメて摺動可能に係止されている。そして、下播種板１１から、上播種板１２の上面に、種子Ｓ・Ｓ・・・を受ける、後述する、種子シュート１３が、該下播種板１１に連結されている。該種子シュート１３の種子Ｓ・Ｓ・・・を充填するノズル部１３ａ・１３ａ・・・の中心は、下方のポットシートＰのポットＰａ・Ｐａ・・・の中心と等ピッチで略同一形状をしている。
【００１９】
前記下播種板１１には、図１３に示されるように、前述の種子シュート１３取付用のシュート取付座８の下方が係止ピン２４・２４・・・により、４か所係止され、該シュート取付座８・８・８・８の上方に、係止ピン２１・２１・２１・２１を介して、該種子シュート１３の略四隅に係止され、該下播種板１１と種子シュート１３が、シュート取付座８を介して、連結部材となるよう構成されている。
【００２０】
前記上播種板１２及び補助板４２には、図１１、図１３、図１５に示すように、前記ノズル部１３ａ・１３ａ・・・の中心と等ピッチで種子Ｓ・Ｓ・・・の一粒がちょうど入る大きさを有する貯留孔１２ａ・１２ａ・・・が開設されており、また、該ノズル部１３ａ・１３ａ・・・は、上播種板１２を最も左に寄せたとき（図１１の位置）に、種子Ｓ・Ｓ・・・が該上播種板１２の貯留孔１２ａ・１２ａ・・・に一粒ずつ嵌入するよう構成されている。
なお、この実施例では、ノズル部１３ａ・１３ａ・・・の形状を漏斗状としているが、種子Ｓ・Ｓ・・・の補給が容易で、途中部で詰まることなく、下端開口部から落下するものであれば、この形状は特に限定するものではない。
更に、この実施例では、該ノズル部１３ａ・１３ａ・・・を有する種子シュート１３を取設しているが、図１４に示すように、種子シュート１３をノズル部１３ａ・１３ａ・・・を取設せず、開口部１３ａ’・１３ａ’・・・を形設した種子シュート１３’として、播種毎にスライド式播種器Ａ’を適宜傾斜させて、該開口部１３ａ’・１３ａ’・・・を介して貯留孔１２ａ・１２ａ・・・に種子Ｓ・Ｓ・・・を一粒ずつ入れて、スライド播種することもできる。
【００２１】
実際の作業では、上播種板１２を左に寄せた状態（図１２の状態）で、種子シュート１３のノズル部１３ａ・１３ａ・・・内に種子Ｓ・Ｓ・・・を供給すると、この時点で、上播種板１２の貯留孔１２ａ・１２ａ・・・内に、種子Ｓ・Ｓ・・・が、図１５の如く、一粒ずつ嵌入される。次に、該上播種板１２を、図１２に示す、矢印Ｙ１の如く、右側に摺動すると、該貯留孔１２ａ・１２ａ・・・と前記下播種器１１に開設された、播種孔１１ａ・１１ａ・・・が連通して、該種子Ｓ・Ｓ・・・が下方のポットシートＰに落下する。
【００２２】
そして、前記上播種板１２を再度、左側に摺動して、種子Ｓ・Ｓ・・・を貯留孔１２ａ・１２ａ・・・内に嵌入し、スライド式播種器Ａ’を図１０の如く、前記ポットシートＰの残り半分側に移動して、前述と同様に種子Ｓ・Ｓ・・・を落下させて播種するよう構成している。
【００２３】
【発明の効果】
本発明は、以上のように構成したので、次のような効果を奏するものである。即ち、請求項１のような構成とすることにより、スライド式播種器の面積が小さくなりコンパクトとなって、コスト低減化が図れ、軽量化することができ、楽に移動ができて、収納場所も小さくて済む。また、ポットシートＰ一枚分の貯留孔２ａ・２ａ・・・及び２ｂ・２ｂ・・・を開設できるので、種子Ｓ・Ｓ・・・を該貯留孔２ａ・２ｂに充填する作業が容易にできて、操作面で機能アップが可能になる。
【００２４】
また、請求項２のような構成とすることにより、貯留孔１２ａ・１２ａ・・・への種子供給手段であるノズル部１３ａ・１３ａ・・・内に種子Ｓ・Ｓ・・・を供給するだけで、播種器Ａ’を傾斜させることなく、手動で、上播種板１２を一側に摺動して、種子Ｓ・Ｓ・・・を該貯留孔１２ａ・１２ａ・・・に充填し、他側に摺動して該種子Ｓ・Ｓ・・・を播種するという作業を連続的に行うことができ、操作性が良く、また、小型化したために播種回数が増加するといった不具合を解消することができる。
【図面の簡単な説明】
【図１】本発明のスライド式播種器の正面図一部断面図である。
【図２】同じく、平面図である。
【図３】同じく、側面図一部断面図である。
【図４】図２に示す、Ｃ部の拡大図である。
【図５】図１に示す、Ｂ部の拡大図である。
【図６】二つの貯留孔の一方が播種孔と連通した状態を示す図である。
【図７】同じく、斜視図である。
【図８】二つの貯留孔の他方が播種孔と連通した状態を示す図である。
【図９】育苗トレイ上に、スライド式播種器を装着した状態を示す平面図である。
【図１０】同じく、斜視図である。
【図１１】他の実施例の正面図一部断面図である。
【図１２】同じく、平面図である。
【図１３】同じく、側面図一部断面図である。
【図１４】種子供給手段の他の実施例の側面断面図である。
【図１５】図１１に示す、Ｄ部の拡大図である。
【符号の説明】
Ａ・Ａ’  スライド式播種器
Ｐ  ポットシート
Ｓ  種子
１  下播種板
１ａ  播種孔
２  上播種板
２ａ・２ｂ  貯留孔
３  仕切板
４  戻しバネ
５  ディテントバネ
１０  リベット
１１  下播種板
１１ａ  播種孔
１２  上播種板
１２ａ  貯留孔
１３  種子シュート
１３ａ  ノズル部
１５  ディテントバネ
３２  補助板
４２  補助板
【図１】
0003621153.tif 000002
【図２】
0003621153.tif 000003
【図３】
0003621153.tif 000004
【図４】
0003621153.tif 000005
【図５】
0003621153.tif 000006
【図６】
0003621153.tif 000007
【図７】
0003621153.tif 000008
【図８】
0003621153.tif 000009
【図９】
0003621153.tif 000010
【図１０】
0003621153.tif 000011
【図１１】
0003621153.tif 000012
【図１２】
0003621153.tif 000013
【図１３】
0003621153.tif 000014
【図１４】
0003621153.tif 000015
【図１５】
0003621153.tif 000016